【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
ＤＤＣに対応した映像表示装置において、
１個のＤＤＣ対応不揮発性メモリと、
入力する映像信号の種類を示す情報に基づき、複数種類の映像信号用のＥＤＩＤデータのうち、前記入力する映像信号に対応するＥＤＩＤデータを前記ＤＤＣ対応不揮発性メモリに書き込む制御手段と
を備えたことを特徴とする映像表示装置。
【請求項２】
請求項１に記載の映像表示装置において、
前記複数種類の映像信号の中から、前記入力する映像信号を選択するための操作手段
をさらに備え、
前記制御手段は、前記操作手段での選択結果を示す情報に基づいて前記ＤＤＣ対応不揮発性メモリに前記入力する映像信号に対応するＥＤＩＤデータの書き込みを行うことを特徴とする映像表示装置。
【請求項３】
請求項１に記載の映像表示装置において、
前記複数種類の映像信号用のＥＤＩＤデータが、各種データを格納するために前記映像表示装置内に設けられているメモリに、他のデータとともに格納されていることを特徴とする映像表示装置。
【請求項４】
請求項１に記載の映像表示装置において、
前記複数種類の映像信号用のＥＤＩＤデータが、前記制御手段の内蔵メモリに、前記制御手段が実行すべきプログラムとともに格納されていることを特徴とする映像表示装置。
【請求項５】
請求項１に記載の映像表示装置において、
前記ＤＤＣ対応不揮発性メモリを、前記ＥＤＩＤデータを供給する第１の端子と、前記入力する映像信号を供給するホストと通信するための第２の端子との一方に切り替えて接続させるための切替手段
をさらに備え、
前記制御手段は、前記ＤＤＣ対応不揮発性メモリに書き込みを行うときには、前記切替手段により、前記ＤＤＣ対応不揮発性メモリを前記第１の端子のほうに接続させ前記ホストから切り離すことを特徴とする映像表示装置。
【請求項６】
請求項５に記載の映像表示装置において、
前記制御手段は、前記切替手段により、前記第１の端子に接続され前記ＤＤＣ対応不揮発性メモリへの書き込みが完了した後に、前記ＤＤＣ対応不揮発性メモリを前記第２の端子に接続させることを特徴とする映像表示装置。
【請求項７】
請求項５に記載の映像表示装置において、
前記第１の端子には前記制御手段により前記ＥＤＩＤデータが供給されることを特徴とする映像表示装置。
【請求項８】
請求項７に記載の映像表示装置において、
前記第１の端子には前記制御手段により前記ＥＤＩＤデータが供給されることを特徴とする請求の範囲第７項記載の映像表示装置。
【請求項９】
請求項７に記載の映像表示装置において、
前記制御手段は、前記複数種類の映像信号用のＥＤＩＤデータを当該制御手段が実行すべきプログラムとともに格納する内蔵メモリを備え、
前記第１の端子には前記制御手段の前記内蔵メモリより前記ＥＤＩＤデータが供給されることを特徴とする映像表示装置。
【請求項１０】
請求項１に記載の映像表示装置において、
前記制御手段は、前記入力する映像信号の種類を示す情報が変化したとき、その変化した前記入力する映像信号の種類を示す情報に対応するＥＤＩＤデータを前記ＤＤＣ対応不揮発性メモリに書き込むことを特徴とする映像表示装置。
【請求項１１】
請求項１０に記載の映像表示装置において、
前記複数種類の映像信号の中から、前記入力する映像信号を選択するための操作手段をさらに備え、
前記制御手段は、前記操作手段での選択結果を示す情報が変化したとき当該選択結果を示す情報に基づき前記入力する映像信号に対応するＥＤＩＤデータを前記ＤＤＣ対応不揮発性メモリに書き込むことを特徴とする映像表示装置。
【請求項１２】
請求項１１に記載の映像表示装置において、
前記ＤＤＣ対応不揮発性メモリを、前記ＥＤＩＤデータを供給する第１の端子と、前記入力する映像信号を供給するホストと通信するための第２の端子との一方に切り替えて接続するための切替手段をさらに備え、
前記制御手段は、前記操作手段での選択結果を示す情報が変化したとき、前記切替手段により、前記ＤＤＣ対応不揮発性メモリを前記第１の端子のほうに接続させることを特徴とする映像表示装置。
【請求項１３】
請求項１２に記載の映像表示装置において、
前記制御手段は、前記切替手段により、前記第１の端子に接続され前記ＤＤＣ対応不揮発性メモリへの書き込みが完了した後に、前記ＤＤＣ対応不揮発性メモリを前記第２の端子に接続させることを特徴とする映像表示装置。
【手続補正２】
【補正対象書類名】明細書
【補正対象項目名】００２２
【補正方法】変更
【補正の内容】
【００２２】
【課題を解決するための手段】
この課題を解決するために、本出願人は、ＤＤＣに対応した映像表示装置において、１個のＤＤＣ対応不揮発性メモリと、入力する映像信号の種類を示す情報に基づき、複数種類の映像信号用のＥＤＩＤデータのうち、この入力する映像信号に対応するＥＤＩＤデータをこのＤＤＣ対応不揮発性メモリに書き込む制御手段とを備えたものを提案する。


【手続補正３】
【補正対象書類名】明細書
【補正対象項目名】００２３
【補正方法】変更
【補正の内容】
【００２３】
この映像表示装置では、ＤＤＣ対応不揮発性メモリは、映像信号の種類にかかわらず１個だけ設けられる。そして、ホストから或る種類の映像信号が映像表示装置に入力する際には、その映像信号の種類を示す情報に基づき、制御手段により、複数種類の映像信号用のＥＤＩＤデータのうちのその映像信号に対応するＥＤＩＤデータがこのＤＤＣ対応不揮発性メモリに書き込まれる。これにより、ホストと映像表示装置との間でその映像信号に対応するＥＤＩＤデータがやりとりされるので、ホスト側に、この映像表示装置の属性に合わせた設定をその映像信号について行わせることができるようになる。


【手続補正４】
【補正対象書類名】明細書
【補正対象項目名】００２４
【補正方法】変更
【補正の内容】
【００２４】
また、その後ホストから別の種類の映像信号が映像表示装置に入力する際には、その別の種類を示す情報に基づき、制御手段により、このＤＤＣ対応不揮発性メモリ内のＥＤＩＤデータが、複数種類の映像信号用のＥＤＩＤデータのうちのその別の種類の映像信号に対応するＥＤＩＤデータに書き換えられる。これにより、今度はホストと映像表示装置との間でその別の種類の映像信号に対応するＥＤＩＤデータがやりとりされるので、ホスト側に、映像表示装置の属性に合わせた設定をその別の種類の映像信号について行わせることができるようになる。


【手続補正５】
【補正対象書類名】明細書
【補正対象項目名】００２８
【補正方法】変更
【補正の内容】
【００２８】
なお、この映像表示装置において、一例として、複数種類の映像信号の中から、入力する映像信号を選択するための操作手段をさらに備え、制御手段は、この操作手段での選択結果を示す情報に基づいてＤＤＣ対応不揮発性メモリに入力する映像信号に対応するＥＤＩＤデータの書き込みを行うようにすることが好適である。


【手続補正６】
【補正対象書類名】明細書
【補正対象項目名】００２９
【補正方法】変更
【補正の内容】
【００２９】
それにより、ユーザーが、或る種類の映像信号を出力するホストをこの映像表示装置につなぐ際にその映像信号を選択する操作をこの操作手段で行うことにより、その映像信号に対応するＥＤＩＤデータがこのＤＤＣ対応不揮発性メモリに書き込まれるようになる。


【手続補正７】
【補正対象書類名】明細書
【補正対象項目名】００３３
【補正方法】変更
【補正の内容】
【００３３】
また、この映像表示装置において、一例として、ＤＤＣ対応不揮発性メモリを、ＥＤＩＤデータを供給する第１の端子と、入力する映像信号を供給するホストと通信するための第２の端子との一方に切り替えて接続させるための切替手段をさらに備え、制御手段は、ＤＤＣ対応不揮発性メモリに書き込みを行うときには、この切替手段により、ＤＤＣ対応不揮発性メモリをこの第１の端子のほうに接続させホストから切り離すことが好適である。